(57)【要約】【課題】  定まったゴム手袋干具の無い、不便・不衛生・非能率・を解決すること。【解決手段】竿掛・壁掛・ゴム手袋干具セット、使用によりこの課題を解決する。【選択図】図５
2009195662.tif 000002
【特許請求の範囲】
【請求項１】
イ、図１の上下動竿掛具付、表裏両平面上下に左右手形板装着固定パ−ツ付け突起部を設けた竿掛け基板ロ、図２の親指挿し固定パ−ツ装着突起部、下部断面に基板装着固定パ−ツ受穴を設けた左右手形板ハ、図４の手形板親指挿し固定パ−ツ基板手形板脱着固定パーツ、以上の構成によりなる竿掛けゴム手袋２足干し具セット。
【請求項２】
イ、図３の基板上部に釘他引掛け具穴、表平面上下に左右手形板装着固定パ−ツ付け突起部を設けた壁掛け基板ロ、図２の親指挿し固定パ−ツ装着突起部下部断面に基板装着固定パ−ツ受穴を設けた左右手形板ハ、図４の手形板親指挿し固定パーツ基板手形板脱着固定パ−ツ、以上の構成によりなる壁掛けゴム手袋１足干し具セット。
【発明の詳細な説明】
【技術分野】
【０００１】本発明は竿掛けゴム手袋２足干具セット、壁掛けゴム手袋１足干し具セットに関するものであり、ゴム手袋使用洗浄後、水きりを良くし簡単迅速に干せるよう、竿掛、壁掛基板、左右手形板、基板手形脱着パーツの構成を、工夫したものである。
【背景技術】
【０００２】従来より定まった具が無く、吊下げ洗濯はさみ、棒状の物に掛けて干していたので不能率不便であった。
【発明の開示】
【発明が解決しようとする課題】
【０００３】従来定まった具の無い干し方は非常に非能率不便であった、本発明はこれらの欠点を解決するために発明されたものである。
【課題を解決するための手段】
【０００４】この課題を解決するための請求項１の発明は、図１の竿掛け上下動具（１）を設け表裏両面上下に手形板装着固定パ−ツ挿し穴付突起部（２）を４個設けた竿掛け基板図２竿掛け壁掛け両用手形板に親指挿し固定パ−ツ挿し穴突起部（３）を設け下部断面に基板、手形板脱着パーツ受穴（４）を設けた竿掛け壁掛け両用手形板、図４手形板親指挿し固定パ−ツ（７）基板手形板脱着固定パ−ツ（８）で、１セット１パックを構成し竿掛けゴム手袋２足干し具セット。【０００５】また、請求項２の発明は、図３基板上部に釘他掛具穴（５）を設け、表片面上下に手形板装着固定パ−ツ挿穴付突起部（６）を２個設けた壁掛け基板、図２竿壁掛両用手形板に、親指挿し固定パ−ツ挿し穴突起部（３）を設け下部断面に基板、手形脱着パーツ受穴（４）を設けた竿掛壁掛両用手形板、図４手形板親指挿し固定パ−ツ（７）基板手形板脱着固定パ−ツ（８）で、１セット１パックを構成した壁掛けゴム手袋１足干し具セット。
【発明の効果】
【０００６】本発明により、１セット利用は勿論、調理作業所、外作業所等のゴム手袋を多数の人が利用する所では、簡単迅速整然と干せ、ゴム手袋の指先が上を向くので水切りが良く早く乾き、衛生的である。
【発明を実施するための最良の形態】
【０００７】図１は上下動竿掛具（１）を設け、手形板脱着固定パーツ挿し突起部（２）を両面に設けたことを特徴とする竿掛基板の表面と側面図である
（１）を設けたことにより１セットパックの長さを短縮できる。【０００８】図２は手形左右板に、親指挿しパ−ツ挿し穴突起部（３）下部断面中央部に基板手形板、脱着パ−ツ挿穴（４）を設けたことを特徴とする手形左右板図である、手形板腕部を持ち、ゴム手袋を手形板に簡単に脱着できる。【０００９】図４は手形板親指挿固定パ−ツ（７）で竿掛け干し具に４本、壁掛け干し具に２本、基板手形板脱着固定パ−ツ（８）で竿掛け干し具に４本、壁掛け干し具に２本、セットすることを特徴とするパ−ツで、パック開封後に組立てにすることにより梱包厚を減ずることができる。【００１０】これらゴム手袋干し具はセットとしたが、組立て苦手のユ−ザ−のため完成品も出来る。【００１１】これら手袋干し具は寸法を変えて、布・革・毛、手袋干し具も出来る。【００１２】これらゴム手袋１足２足干し具の材料はプラスチックとステンレス棒パーツ固定用ボンドでよい。
【産業上の利用可能性】
【００１３】本発明に係るゴム手袋２足干し具セットは、工業的に量産する事が可能であるため、産業上の利用可能性を有する。
【図面の簡単な説明】
【００１４】
【図１】上下動竿掛け具付と手形板装着固定パ−ツ挿し突起部を表面２個、裏面２個設けた竿掛ゴム手袋２足干し基板と側面図である。
【図２】竿掛け壁掛け両用左右手形板に親指挿し固定パーツ挿し（３）を設けた突起部と、下部断面に基板脱着パ−ツ受穴（４）を設けた竿掛け壁掛け両用左右手形板の表面と側面図である。
【図３】基板上部に釘他引掛け具穴、表平面上下に左右手形板装着固定パ−ツ付き突起部を２個設けた壁掛けゴム手袋１足干し基板と側面図である。
【図４】手形板親指挿し固定パ−ツ、基板手形板脱着固定パーツ図である。
【符号の説明】
【００１５】    １      竿掛上下動具
２      手形板装着、固定パーツ挿し突起部
３      親指挿し、固定パ−ツ挿し突起部
４      基板手形板脱着、パーツ受穴
５      壁掛け基板上部、釘他掛具穴
６      壁掛け基板、手形板装着固定パ−ツ挿し突起部
７      手形板親指挿し固定パ−ツ
８      基板手形板脱着パーツ
【図１】
2009195662.tif 000003
【図２】
2009195662.tif 000004
【図３】
2009195662.tif 000005
【図４】
2009195662.tif 000006
【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
イ、図１、竿掛具（１）手形挿受具１段４ケ３段（２）を設けた竿掛四面棒軸（３）
ロ、図２、手形挿具（４）を設けた手形右（５）を６枚
図３、手形挿具（４）を設けた手形左（６）を６枚
以上の構成によりなる、図１・２・３組立図（７）の竿掛ゴム手袋６双干具セット。
【請求項２】
イ、図６、手形挿受具（２）を６ケ設けた  壁掛３双干基板（９）
ロ、図７、手形挿具（４）を設けた手形右（５）を３枚
図８、手形挿具（４）を設けた手形左（６）を３枚
以上の構成によりなる図６・７・８組立図（９）の竿掛ゴム手袋３双干具セット。
【手続補正２】
【補正対象書類名】明細書
【補正対象項目名】全文
【補正方法】変更
【補正の内容】
【発明の詳細な説明】
【技術分野】
【０００１】本発明は、竿掛ゴム手袋６双干具セット、壁掛ゴム手袋３双干具、に関するものでありゴム手袋を使用洗浄後水切りを良くし、簡単迅速に干せるよう構成を工夫したものである。
【背景技術】
【０００２】従来より、定まった具が無く、吊り下げ洗濯はさみ、棒状のような物に掛けて干していたので、不能率不便であった。
【発明の開示】
【発明が解決しょうとするとする課題】
【０００３】従来定まった具の無い干し方は非常に非能率不便であった、本発明はこれらの欠点を解決するために発明されたものである。
【課題を解決するための手段】
【０００４】この課題を解決するための請求項１の発明は、「図１」竿掛具（１）手形挿受具（２）を設けた竿掛四面棒軸（３）と、「図２」手形挿具（４）を設けた手形右（５）「図３」手形挿具（４）を設けた手形左（６）を構成した竿掛ゴム手袋６双干具セット。
【０００５】請求項２の発明は「図６」手形挿受具（２）を設けた壁掛３双干具基板）（９）「図７」手形挿具（４）を設けた手形右（５）「図８」手形挿具（４）を設けた手形左（６）を構成した壁掛ゴム手袋３双干具セット。である。
【発明の効果】
【０００６】本発明具利用により、ゴム手袋の先が上を向くので、水切通風が良く早く乾き衛生的で簡単迅速に干す事が出来、従来の不便不能率を解決、土木業・水産及び加工業・調理作業所・等、ゴム手袋を多数の人が利用する所では、便利である。
【発明を実施するための最良の形態】
【０００７】図１は竿掛具（１）手形挿受具、１段４ケ３段（２）を設けたことを特徴とするゴム手袋６双干の、竿掛四面棒軸（３）である。【０００８】図２は、手形挿具（４）を設けたことを特徴とする、手形右（５）であり  手形挿具（４）を持ちゴム手袋を掛け、図１、竿掛四面棒軸（３）の手形挿受具に簡単迅速にセット出来る。【０００９】図３は、手形挿具（４）を設けたことを特徴とする、手形左（６）であり  手形挿具（４）を持ちゴム手袋を掛け、図１、竿掛四面棒軸（３）の手形挿受具に簡単迅速にセット出来る。【００１０】図４は、図１、図２、図３、のセット図である。【００１１】図５は、ゴム手袋６双干実施図（８）である。【００１２】図６は、手形挿受け具３段６ケ（２）を設けたことを特徴とする、壁掛３双干具基板（９）である。【００１３】図７は、手形挿具（４）を設けたことを特徴とする、手形右（５）であり  手形挿具（４）を持ちゴム手袋を掛け、図６、壁掛３双干具基板（９）の手形挿受具（２）に簡単迅速にセット出来る。【００１４】図８は、手形挿具（４）を設けたことを特徴とする、手形左（６）であり  手形挿具（４）を持ちゴム手袋を掛け、図６、壁掛３双干具基板（９）の手形挿受具（２）に簡単迅速にセット出来る。【００１５】図９は、図６、図７、図８、のセット図である。【００１６】図１０は、壁掛３双干実施図である。
【産業上の利用可能性】本発明に係るゴム手袋６双、３双干具セットは、工業的に量産する事が可能であり、ゴム手袋使用が耐えない限り生産の可能性を有する。
【図面の簡単な説明】
【００１７】
【図１】竿掛具（１）手形挿受具を設けた、ゴム手袋６双干具の、竿掛四面棒（３）である。
【図２】手形挿具（３）を設けた、竿掛四面棒軸（３）の手形挿受具、にセットする手形右である。
【図３】手形挿具（３）を設けた、竿掛四面棒軸（３）の手形挿受具、にセットする手形左である。
【図４】図１、図２、図３、のセット図である。
【図５】ゴム手袋６双干実施図（８）である。
【図６】手形挿受け具３段６ケ（２）を設けた、壁掛３双干具基板（９）である。
【図７】手形挿具（３）を設けた、竿掛四面棒軸（３）の手形挿受具、にセットする手形右である。
【図８】手形挿具（３）を設けた、竿掛四面棒軸（３）の手形挿受具、にセットする手形左である。
【図９】図６、図７、図８、のセット図である。
【図１０】壁掛３双干実施図である。
【符号の説明】
【００１８】１            竿掛具
２            手形挿受具
３            竿掛四面棒軸
４            手形挿具
５            手形右
６            手形左
７            図１、図２、図３、のセット図
８            ゴム手袋６双干実施図
９            壁掛３双干具基板
【手続補正３】
【補正対象書類名】図面
【補正対象項目名】全図
【補正方法】変更
【補正の内容】
【図１】
2009195662.tif 000007
【図２】
2009195662.tif 000008
【図３】
2009195662.tif 000009
【図４】
2009195662.tif 000010
【図５】
2009195662.tif 000011
【図６】
2009195662.tif 000012
【図７】
2009195662.tif 000013
【図８】
2009195662.tif 000014
【図９】
2009195662.tif 000015
【図１０】
2009195662.tif 000016